(57)【要約】      （修正有）【課題】  低騒音で、低トルクでありながらも潤滑性能に優れ、長寿命の軸受装置を提供する。【解決手段】  軸１の外周面に設けた軌道溝２と、外輪１１Ａ，１１Ｂの内周面に設けた外輪軌道との間に、軸１の外周面に案内されるプラスチック保持器１３Ａ，１３Ｂを介して複数の玉１２Ａ，１２Ｂを転動自在に保持してなり、エステル油を基油全量の５０質量％以上含有する基油と、リチウム石けん、リチウム複合石けん及びウレア化合物の少なくとも１種からなる増ちょう剤と、スルホン酸塩とを含有するグリースが封入されていることを特徴とする。【選択図】      図１
2005030544.tif 000002
【特許請求の範囲】
【請求項１】
軸の外周面に設けた軌道溝と、外輪の内周面に設けた外輪軌道との間に、軸の外周面に案内される樹脂製保持器を介して複数の玉を転動自在に保持してなり、エステル油を基油全量の５０質量％以上含有する基油と、リチウム石けん、リチウム複合石けん及びウレア化合物の少なくとも１種からなる増ちょう剤と、スルホン酸塩とを含有するグリースが封入されていることを特徴とする軸受装置。
【請求項２】
軸と、前記軸に固定される内輪と、外輪とを備え、前記内輪の内輪軌道と前記外輪の外輪軌道との間に内輪外周面に案内される樹脂製保持器を介して複数の玉を転動自在に保持してなり、エステル油を基油全量の５０質量％以上含有する基油と、リチウム石けん、リチウム複合石けん及びウレア化合物の少なくとも１種からなる増ちょう剤と、スルホン酸塩とを含有するグリースが封入されていることを特徴とする軸受装置。
【請求項３】
前記樹脂製保持器が、内周面に案内面側に突出する突起を備えることを特徴とする請求項１または２記載の軸受装置。
【請求項４】
前記樹脂製保持器の外径が、玉ピッチ円径よりも僅かに大きいことを特徴とする請求項１〜３の何れか１項に記載の軸受装置。
【請求項５】
前記スルホン酸塩が、ジアルキルナフタレンスルホン酸であることを特徴とする請求項１〜４の何れか１項に記載の軸受装置。
【請求項６】
ビデオテープレコーダまたはビデオカメラの回転ヘッドドラムに組み込まれることを特徴とする請求項１〜５の何れか１項に記載の軸受装置。
【発明の詳細な説明】
【技術分野】
【０００１】
本発明は、各種回転部材に使用される軸受装置に関する。
【背景技術】
【０００２】
例えば、ビデオテープレコーダやビデオカメラでは、ビデオ信号を記録するヘッドチップを有する回転ドラムをテープ走行方向より少し傾けて配置し、回転させながらテープ上に斜めのパターンで記録するヘリカルスキャン方式の回転ヘッドドラム装置が用いられている（例えば、特許文献１、特許文献２参照）。
【０００３】
これら特許文献１及び特許文献２に記載の回転ヘッドドラム装置では、ドラム軸の外周面に設けた軌道溝と、外輪の内周面に設けた外輪軌道との間に、保持器を介して複数の玉を保持した軸受装置を内蔵している。また、潤滑のためにグリースが封入されているが、従来では、ジエステル油やポリオールエステル油、炭酸エステル油等のエステル油を基油とし、金属石けんを増ちょう剤とする金属石けん−エステル油系グリースが一般的である。
【特許文献１】特開平７−２６２５３８号公報
【特許文献２】特開平１１−６６５２４号公報
【発明の開示】
【発明が解決しようとする課題】
【０００４】
近年、デジタルビデオカメラに代表されるように、高密度記録のためにドラムスピンドルが高速化され、更に組み込み性と高剛性要求のため、予圧荷重が高くなる傾向にあるが、その一方で騒音が少なく、長寿命であることが要求されてきている。しかし、従来の金属石けん−エステル油系グリースでは、駆動時間が１００時間から２００時間程度では初期に比べて若干の音響上昇に留まっていたが、５００時間から１０００時間を経過すると音響上昇が目立つようになり、静粛化の要求に対応しきれていない。
【０００５】
また、ビデオカメラでは、携帯性を考慮して電池の小型軽量化が求められており、低消費電力化のために軸受装置には低トルク化も要求されている。低トルク化には、グリースの粘度を低くしたり、グリースの使用量を少なくする等の対策が考えられるが、潤滑不足となりやすく、油膜切れによる凝着が発生して音響上昇を起こしやすくなる。
【０００６】
本発明はこのような状況に鑑みてなされたものであり、低騒音で、低トルクでありながらも潤滑性能に優れ、長寿命の軸受装置を提供することを目的とする。
【課題を解決するための手段】
【０００７】
上記の目的を達成するために、本発明は下記に示す軸受装置を提供する。
（１）軸の外周面に設けた軌道溝と、外輪の内周面に設けた外輪軌道との間に、軸の外周面に案内される樹脂製保持器を介して複数の玉を転動自在に保持してなり、エステル油を基油全量の５０質量％以上含有する基油と、リチウム石けん、リチウム複合石けん及びウレア化合物の少なくとも１種からなる増ちょう剤と、スルホン酸塩とを含有するグリースが封入されていることを特徴とする軸受装置。
（２）軸と、前記軸に固定される内輪と、外輪とを備え、前記内輪の内輪軌道と前記外輪の外輪軌道との間に内輪外周面に案内される樹脂製保持器を介して複数の玉を転動自在に保持してなり、エステル油を基油全量の５０質量％以上含有する基油と、リチウム石けん、リチウム複合石けん及びウレア化合物の少なくとも１種からなる増ちょう剤と、スルホン酸塩とを含有するグリースが封入されていることを特徴とする軸受装置。
（３）前記樹脂製保持器が、内周面に案内面側に突出する突起を備えることを特徴とする上記（１）または（２）記載の軸受装置。
（４）前記樹脂製保持器の外径が、玉ピッチ円径よりも僅かに大きいことを特徴とする上記（１）〜（３）の何れか１項に記載の軸受装置。
（５）前記スルホン酸塩が、ジアルキルナフタレンスルホン酸であることを特徴とする上記（１）〜（４）の何れか１項に記載の軸受装置。
（６）ビデオテープレコーダまたはビデオカメラの回転ヘッドドラムに組み込まれることを特徴とする上記（１）〜（５）の何れか１項に記載の軸受装置。
【発明の効果】
【０００８】
本発明によれば、低トルクで、音響上昇も少なく、長寿命の軸受装置が提供される。
【発明を実施するための最良の形態】
【０００９】
以下、本発明の軸受装置の実施形態について図面を参照して詳細に説明する。
【００１０】
図１は本発明の軸受装置の一実施形態を示す断面図であるが、ビデオテープレコーダの回転ヘッドドラムに組み込まれる軸受装置の一例を示している。図示されるように、回転ヘッドドラムのドラム軸となる軸１の外周面には一対の軌道溝２が形成されており、一方（図中左側）の軌道溝２には、小径の外輪１１Ａが配置され、複数の玉１２Ａを、軸１の外周面に案内される樹脂製保持器１３Ａで保持して第１の玉軸受１０Ａを形成している。また、軸１の他方（図中右側）の軌道溝２には、大径の外輪１１Ｂが配置され、複数の玉１２Ｂを、軸１の外周面に案内される樹脂製保持器１３Ｂで保持して第２の玉軸受１０Ｂを形成している。
【００１１】
本発明では、樹脂製保持器１３Ａ，１３Ｂが図２〜図４に示す構造を有することが好ましい。尚、図２は正面図、図３は図２のＣＣ矢視断面図、図４は図２のＤＤ矢視断面図である。図示されるように、樹脂製保持器１３Ａ，１３Ｂは、円環状の基部３１に軌道輪の軸線方向に突出する一対の弾性片３５ａ，３５ｂで形成される複数のポケット３３を有する。ポケット３３の内周面は、玉１２Ａ，１２Ｂの外径よりも僅かに大きな曲率の球面に加工されており、玉１２Ａ，１２Ｂを転動自在に保持する。また、基部３１の内周面には等間隔で内方に突出する複数の摺接案内部３７が形成されている。このような樹脂製保持器１３Ａ，１３Ｂでは、摺動案内部３７のみが案内面である軸１の外周面と接触するため、接触面積が少なくなり、トルクの低減を図ることができる。尚、摺動案内部３７は、図示されるように上面形状で略台形の他、半円形等とすることができる。
【００１２】
更に、樹脂製保持器１３Ａ，１３Ｂの外径ＤＫを、玉ピッチ円径Ｐよりも僅かに大きくすることが好ましい。具体的には、玉径をＤｗとし、玉ピッチ円径Ｐの接線とボールとの接点から中心点０までの半径ａ１は、
ａ１＝（Ｄｗ2＋Ｐ2）1/2÷２
で表され、樹脂製保持器１３Ａ，１３Ｂの外径ＤＫと玉ピッチ円径Ｐとの差ａ２は、
ａ２＝（ＤＫ÷２）−ａ１
で表されるが、このａ２と玉径Ｄｗとの比（ａ２／Ｄｗ）が０．１以下であることが好ましく、０．０６５以下であることがより好ましい。このような寸法規定により、保持器背面からグリース封入が容易にできるようになり、また、内部の潤滑状態も良くなり音響上昇を抑えることもできる。これに対し、特に（ａ２／Ｄｗ）が０以下であると、樹脂製保持器１３Ａ，１３Ｂの外径部のエッジと玉１２Ａ，１２Ｂとが接触するため、樹脂製保持器１３Ａ，１３Ｂの摩耗を促進するとともに、玉１２Ａ，１２Ｂの保持が難しくなる。
【００１３】
また、第１の玉軸受１０Ａと第２の玉軸受１０Ｂとの間には、スプリング３が介挿されており、当金４を介して両玉軸受１０Ａ，１０Ｂを外方に付勢している。また、第１の玉軸受１０Ａ及び第２の玉軸受１０Ｂの各軸受内部空間Ｓには後述されるグリースが充填され、それぞれシール１４Ａ，１４Ｂで密封される。
【００１４】
グリースの基油は、十分なフレッチング防止性能を付与し、さらに、発塵が少ない、トルクが小さい、音響性能が優れている、及び長寿命である、という各種性能を付与するためには、エステル油を基油全量の５０質量％以上とする必要がある。エステル油の含有量が５０質量％未満であると、上記の各種性能が不十分となるおそれがあり、特に、音響性能に対する悪影響が大きい。
【００１５】
エステル油としては、炭酸エステル、ジエステル油、ポリオールエステル油、これらのコンプレックスエステル油、芳香族エステル油等が挙げられる。
【００１６】
ジエステル油の具体例としては、アジピン酸ジイソデシル、アゼライン酸ジイソデシル、セバシン酸ジオクチル等が挙げられる。
【００１７】
ポリオールエステル油の具体例としては、ネオペンチルグリコールジエステル（炭化水素基は、例えば直鎖状又は分岐鎖状の炭素数９個のものやオレイル基等）、トリメチロールプロパントリエステル（炭化水素基は、例えば直鎖状の炭素数６、７個のもの、分岐鎖状の炭素数８個のもの、イソステアリル基、オレイル基等）、ペンタエリスリトールテトラエステル（炭化水素基は、例えば直鎖状の炭素数６、８個のもの、分岐鎖状の炭素数８個のもの、イソステアリル基、オレイル基等）、ジペンタエリスリトールヘキサエステル（炭化水素基は、例えば直鎖状の炭素数６個のもの等）等が挙げられる。
【００１８】
芳香族エステル油の具体例としては、トリメリト酸トリオクチル、トリメリト酸トリデシル、ピロメリト酸テトラオクチル等が挙げられる。
【００１９】
これらのエステル油は、単独でも、複数を併用してもよい。
【００２０】
混合可能な他の油としては、鉱油系潤滑油、合成油系潤滑油、天然油系潤滑油等が挙げられる。
【００２１】
鉱物系潤滑油の具体例としては、パラフィン系鉱物油、ナフテン系鉱物油、及びそれらの混合油等が挙げられる。
【００２２】
合成油系潤滑油の具体例としては、合成炭化水素油（脂肪族系、芳香族系）、エーテル油、及びフッ素油等を使用できる。脂肪族系の合成炭化水素油の具体例としては、ノルマルパラフィン、イソパラフィン、ポリブテン、ポリイソブチレン、１−デセンオリゴマー、１−デセンとエチレンとのコオリゴマー等のポリα−オレフィン又はその水素化物等が挙げられ、芳香族系の合成炭化水素油としては、モノアルキルベンゼン、ジアルキルベンゼン等のアルキルベンゼン、モノアルキルナフタレン、ジアルキルナフタレン、ポリアルキルナフタレン等のアルキルナフタレン等が挙げられる。また、エーテル油の具体例としては、ポリエチレングリコール、ポリプロピレングリコール、ポリエチレングリコールモノエーテル、ポリプロピレングリコールモノエーテル等のポリグリコール、モノアルキルトリフェニルエーテル、アルキルジフェニルエーテル、ジアルキルジフェニルエーテル、テトラフェニルエーテル、ペンタフェニルエーテル、モノアルキルテトラフェニルエーテル、ジアルキルテトラフェニルエーテル等のフェニルエーテル油等が挙げられる。また、フッ素油の具体例としては、パーフルオロエーテル油、フルオロシリコーン油、クロロトリフルオロエチレン油、フルオロフォスファゼン油等が挙げられる。その他の合成油系潤滑油としては、トリクレジルフォスフェート、シリコーン油等も使用できる。
【００２３】
天然油系潤滑油の具体例としては、牛脂、豚脂、大豆油、菜種油、米ぬか油、ヤシ油、パーム油、パーム核油等の油脂系油又はその水素化物等が挙げられる。
【００２４】
また、基油は、４０℃における動粘度が１５〜５５ｍｍ2／ｓであることが好ましく、１８〜３３ｍｍ2／ｓであることがより好ましい。前記下限値よりも小さいと寿命や発塵性に問題が生じるおそれがあり、前記上限値よりも大きいとトルク性能に問題が生じるおそれがある。
【００２５】
上記基油には、増ちょう剤として、リチウム石けん、リチウム複合石けん及びウレア化合物の少なくとも一種が配合される。配合量は、上記基油をゲル状に維持できる量であれば制限されるものはないが、グリース全量の５〜１０質量％とすることにより低トルク化を図ることができる。また、相対的に基油の含有量が多くなり、長寿命にもなる。
【００２６】
リチウム石けんの具体例としては、ステアリン酸リチウム、１２−ヒドロキシステアリン酸リチウム等のような１価の脂肪酸のリチウム塩が挙げられる。このようなリチウム石けんは、脂肪酸と水酸化リチウムとから合成できる。
【００２７】
リチウム複合石けんの具体例としては、上記のリチウム石けんと２価の脂肪酸のリチウム塩とで構成されるものが挙げられる。このようなリチウム複合石けんは、１価の脂肪酸と２価の脂肪酸と水酸化リチウムとから合成できる。
【００２８】
ウレア化合物としてジウレア、トリウレア、テトラウレア等のポリウレア化合物を使用できるが、特に、下記の一般式（Ｉ）で表されるジウレアが好ましい。
【００２９】
【化１】
2005030544.tif 000003
尚、式（Ｉ）中のＲ1及びＲ3は脂肪族炭化水素基、芳香族炭化水素基または縮合炭化水素基を表し、Ｒ1とＲ3は同一であってもよいし異なっていてもよい。また、Ｒ2は２価の芳香族炭化水素基を表す。
【００３０】
このようなジウレアは、別途合成したものを基油に分散させてもよいし、基油中で合成することによって基油に分散させてもよい。ただし、後者の方法の方が、基油中に増ちょう剤を良好に分散させやすいので、工業的に製造する場合には有利である。ジウレアを基油中で合成する場合の合成方法は特に限定されるものではないが、Ｒ2の芳香族炭化水素基を有するジイソシアネート１モルと、Ｒ1及びＲ3の炭化水素基を有するモノアミン２モルとを、反応させる方法が最も好ましい。ジイソシアネートとしては、例えば、ジフェニルメタンジイソシアネート、トリレンジイソシアネート、キシリレンジイソシアネート、ビフェニレンジイソシアネート、ジメチルジフェニレンジイソシアネートまたはこれらのアルキル基置換体等を好適に使用できる。
【００３１】
また、Ｒ1及びＲ3が脂肪族炭化水素基又は芳香族炭化水素基である場合のモノアミンとしては、例えば、アニリン、シクロヘキシルアミン、オクチルアミン、トルイジン、ドデシルアニリン、オクタデシルアミン、ヘキシルアミン、ヘプチルアミン、ノニルアミン、エチルヘキシルアミン、デシルアミン、ウンデシルアミン、ドデシルアミン、テトラデシルアミン、ペンタデシルアミン、ノナデシルアミン、エイコデシルアミン、オレイルアミン、リノレイルアミン、リノレニルアミン、メチルシクロヘキシルアミン、エチルシクロヘキシルアミン、ジメチルシクロヘキシルアミン、ジエチルシクロヘキシルアミン、ブチルシクロヘキシルアミン、プロピルシクロヘキシルアミン、アミルシクロヘキシルアミン、シクロオクチルアミン、ベンジルアミン、ベンズヒドリルアミン、フェネチルアミン、メチルベンジルアミン、ビフェニルアミン、フェニルイソプロピルアミン、フェニルヘキシルアミン等を好適に使用できる。
【００３２】
さらに、Ｒ1及びＲ3が縮合炭化水素基である場合のモノアミンとしては、例えば、アミノインデン、アミノインダン、アミノ−１−メチレンインデン等のインデン系アミン化合物、アミノナフタレン（ナフチルアミン）、アミノメチルナフタレン、アミノエチルナフタレン、アミノジメチルナフタレン、アミノカダレン、アミノビニルナフタレン、アミノ−１，２−ジヒドロナフタレン、アミノ−１，４−ジヒドロナフタレン、アミノテトラヒドロナフタレン、アミノオクタリン等のナフタレン系アミン化合物、アミノペンタレン、アミノアズレン、アミノヘプタレン等の縮合二環系アミン化合物等を好適に使用できる。
【００３３】
グリースには、スルホン酸塩が添加される。スルホン酸塩の種類は特に限定されるものではないが、スルホン酸金属塩が好適に使用される。金属の種類は、アルカリ金属、アルカリ土類金属、亜鉛、銅が好ましく、カルシウム、バリウムが特に好ましい。このようなスルホン酸金属塩は、スルホン酸と金属水酸化物とから合成できる。尚、スルホン酸のアンモニウム塩等のような金属塩以外のスルホン酸塩も好適に使用可能である。
【００３４】
スルホン酸の種類にも特に限定はなく、脂肪族スルホン酸でもよいし芳香族スルホン酸でもよい。脂肪族スルホン酸としては、例えば、炭素数１〜２４の炭化水素基を有するものが好ましい。また、芳香族スルホン酸としては、例えば、ベンゼンスルホン酸やナフタレンスルホン酸等が好ましく、これらの芳香族基は、１個以上の炭素数１〜２４の炭化水素基で置換されていてもよい。芳香族スルホン酸の中では、特にジアルキルナフタレンスルホン酸が好ましく、そのアルキル基の炭素数は８〜１０がより好ましく、９が最も好ましい。
【００３５】
スルホン酸塩の添加量は、グリース全量の１．５〜１０質量％が好ましく、２〜８質量％がより好ましい。スルホン酸塩は金属に対して界面活性剤のように作用し、摺動面が剥離等を起こして金属の新生面が生成しても、新生面に吸着して強固な皮膜を形成するため、油膜切れが起こっても凝着が発生し難くなり、音響上昇が抑えられる。このようなスルホン酸塩の作用を十分に発現するために、添加量を上記の範囲とする。
【００３６】
グリースにはスルホン酸塩の他に、目的に応じて種々の添加剤を添加することができるが、中でもイオウ−リン系添加剤を添加することが好ましい。イオウ−リン系添加剤の種類は特に限定されるものではないが、チオリン酸構造やジチオリン酸構造を有する化合物が特に好ましい。例えば、下記の式（II）のようなジチオリン酸エステルや、式（III）及び式（IV）のようなチオリン酸エステルである。
【００３７】
【化２】
2005030544.tif 000004
【００３８】
【化３】
2005030544.tif 000005
【００３９】
【化４】
2005030544.tif 000006
これらイオウ−リン系添加剤の添加量は、グリース全量の０．１〜０．５質量％が好ましい。また、スルホン酸塩との合計量でグリース全量の１．５〜１０質量％とすることが好ましい。スルホン酸塩とイオウ−リン系添加剤とを併用することにより、より優れたフレチング防止性能が得られるようになるが、イオウ−リン系添加剤の添加量が０．１質量％未満ではその効果が不十分となり、０．５質量％を超えると、イオウ−リン系添加剤の種類によっては基油に完全に溶解せず、音響上昇を招くおそれがある。
【００４０】
また、モリブデン化合物や亜鉛化合物を添加することも好ましい。モリブデン化合物としては、モリブデンジフォスフェートやモリブデンのアミン誘導体等が挙げられる。また、亜鉛化合物としては、亜鉛ジアルキルジチオフォスフェート等が挙げられる。モリブデン化合物や亜鉛化合物は、スルホン酸塩やイオウ−リン系添加剤との相乗効果によりフレッチング防止性能等をより改善する効果が得られるが、イオウ系のアウトガスを発生しやすいため、その添加量はグリース全量の１．５質量％以下とすることが好ましい。
【００４１】
上記以外の併用可能な添加剤としては、例えば、アミン系、フェノール系、硫黄系、ジチオリン酸ニッケル等の酸化防止剤、ソルビタンエステル等の防錆剤、リン系等の極圧剤、脂肪酸、動植物油等の油性向上剤、ベンゾトリアゾール等の金属不活性化剤等が挙げられ、これらを単独又は２種以上混合して用いることができる。尚、これら添加剤の添加量は、本発明の目的を損なわない程度であれば特に限定されるものではない。
【００４２】
以上本発明の実施形態について説明したが、軸１に内輪を嵌合し、この内輪と上記外輪、上記玉及び上記樹脂製保持器とで軸受を構成し、同様のグリースを封入して軸受装置とすることもでき、同様に音響上昇も無く、低トルクで、長寿命化を図ることができる。
【００４３】
また、本発明の軸受装置は、上記したビデオテープレコーダやビデオカメラの他、各種装置、機器の回転部材に適用できる。
【実施例１】
【００４４】
以下に実施例を挙げて本発明を更に説明するが、本発明はこれに限定されるものではない。
（試験グリースの調製）
本発明に従い、ジエステル油（２０ｍｍ2／ｓ、４０℃）８０．９質量％、ステアリン酸リチウム１７質量％、スルホン酸バリウム１．５質量％、イオウ−リン系添加剤（チバガイギー社製「Ｉｒｕｇａｌｕｂｅ  ６３（前記式（II）の化合物）０．１質量％、酸化防止剤０．４質量％及び防錆剤０．１質量％からなり、混和ちょう度２７０の試験グリースＡを調製した。
【００４５】
また、比較のために、ジエステル油（２０ｍｍ2／ｓ、４０℃）８２．５質量％、ステアリン酸リチウム１７質量％、酸化防止剤０．４質量％及び防錆剤０．１質量％で、混和ちょう度２７３の試験グリースＢを調製した。
（トルク試験）
上記の試験グリースＡまたは試験グリースＢを、日本精工（株）製密封玉軸受「呼び番号４８４（内径４ｍｍ、外径９ｍｍ、幅４ｍｍ）に１０ｍｇ封入し、試験軸受とした。また、保持器として、図２〜図４に示した摺動案内部を有するポリアミド製保持器を用いた。
【００４６】
そして、図５に示すトルク測定装置を用いて試験軸受のトルク変化を求めた。図示される測定装置では、試験軸受Ａはシャフト４０の外周面に形成された溝４１との間で玉４２を保持する構成となっており、対をなしスプリング４３で位置規制された状態でハウジング内に収容されている。そして、試験軸受Ａを駆動させたときの振動を糸巻きつけ樹脂キャップ４４に接続した荷重センサ４５で測定し、その測定値をストレインアンプ４６及びローパスフィルタ４７を経由してレコーダ４８にて記録する構成になっている。試験は、６０℃で外輪を９０００ｍｉｎ-1で回転させ、回転初期、１００時間連続回転後、２００時間連続後及び５００時間連続回転後の振動加速度を測定した。尚、測定は各１０回行い、その平均値を測定値とした。
【００４７】
試験グリースＡを封入した試験軸受の測定結果を図６に、試験グリースＢを封入した試験軸受の測定結果を図７にそれぞれグラフ化して示す。同図より、試験グリースＢを封入した試験軸受では振動加速度が１００時間回転後に５７％上昇し、５００時間回転後では１６８％上昇しているのに対し、試験グリースＡを封入した試験軸受では１００時間回転後で４８％、５００時間回転後で８８％の上昇に留まっており、音響上昇の抑制に効果があることがわかる。
【図面の簡単な説明】
【００４８】
【図１】本発明の軸受装置の一実施形態を示す断面図である。
【図２】本発明の軸受装置に好適なプラスチック保持器の一実施形態を示す上面図である。
【図３】図２のＣＣ矢視断面図である。
【図４】図２のＤＤ矢視断面図である。
【図５】実施例において、トルク試験に用いた測定装置を示す概略構成図である。
【図６】試験グリースＡを封入した試験軸受の振動加速度評価の結果を示すグラフである。
【図７】試験グリースＢを封入した試験軸受の振動加速度評価の結果を示すグラフである。
【符号の説明】
【００４９】
１  軸
２  軌道溝
１０Ａ  第１の玉軸受
１０Ｂ  第２の玉軸受
１１Ａ，１１Ｂ  外輪
１２Ａ，１２Ｂ  玉
１３Ａ，１３Ｂ  樹脂製保持器
１４Ａ，１４Ｂ  シール
３１  基部
３３  ポケット
３５  玉保持部
３７  摺接案内部
【図１】
2005030544.tif 000007
【図２】
2005030544.tif 000008
【図３】
2005030544.tif 000009
【図４】
2005030544.tif 000010
【図５】
2005030544.tif 000011
【図６】
2005030544.tif 000012
【図７】
2005030544.tif 000013